(57)【要約】【目的】テレビ視聴中にその番組に関して誰かと話したいと思った場合、話し相手を見つけ出すことを可能にする。【構成】ディジタル放送受信装置３０はユーザからチャット参加要求の指示を受けると、受信している番組を特定する情報及びチャット参加の意志を示す情報をモデムを介して管理システム５１に送信する。管理システム５１は、同一の番組について二以上のチャット参加意志の通知を受けたときに、インターネットに接続されている配信サーバ５２に対してチャットルームの構築を要求する。チャットルームへのアクセスに必要なＵＲＬは配信サーバ５２から各受信装置３０に送信され、当該受信装置３０の画面にＵＲＬが表示される。各ユーザは、インターネット接続環境を有する手持ちのパーソナルコンピュータ４０において閲覧ソフトウェアを起動させて、前記ＵＲＬを入力してチャットルームに参加する。【選択図】　　図１
2004040698.tif 000002
【特許請求の範囲】
【請求項１】
放送波を受信して番組を成す信号を出力する放送受信装置において、受信している番組を特定する情報及びチャット参加の意志を示す情報を予め登録されている相手先に送信する手段と、前記相手先からチャット参加に必要とされる接続情報を受信して当該接続情報を画面に表示する手段と、を備えたことを特徴とする放送受信装置。
【請求項２】
放送波を受信して番組を成す信号を出力する放送受信装置において、通信により受信したファイルの画面表示及びユーザにより入力された情報の送信を行う閲覧手段と、受信している番組を特定する情報及びチャット参加の意志を示す情報を予め登録されている相手先に送信する手段と、前記相手先からチャット参加に必要とされる接続情報を受信して前記閲覧手段による閲覧を実行させる制御手段と、を備えたことを特徴とする放送受信装置。
【請求項３】
請求項１又は請求項２に記載の放送受信装置と前記相手先とから成り、前記相手先は、同一の番組について二以上のチャット参加意志の通知を受けたときにチャットルームを形成すると共にチャット参加に必要な接続情報を各放送受信装置に送信するように構成されていることを特徴とする番組についてのチャットシステム。
【請求項４】
放送波を受信して番組を成す信号を出力する放送受信装置において、予め登録された相手先である他の放送受信装置との間で通信を行う手段と、自機で受信している番組が前記他の放送受信装置でも視聴されていることを確認できたときに通話可能情報を画面表示する手段と、を備えたことを特徴とする放送受信装置。
【請求項５】
放送波を受信して番組を成す信号を出力する放送受信装置において、予め登録された相手先である他の放送受信装置との間で通信を行う手段と、自機で受信している番組が前記他の放送受信装置でも視聴されており且つ通話希望情報を確認できたときに通話可能情報を画面表示する手段と、を備えたことを特徴とする放送受信装置。
【請求項６】
請求項４又は請求項５に記載の放送受信装置において、音声通話手段を備え、通話希望情報を確認後、自動的に又はユーザによる通話開始指示に基づいて相手先と音声通話が行えるように構成されたことを特徴とする放送受信装置。
【請求項７】
請求項４乃至請求項６のいずれかに記載の放送受信装置において、相手先が複数存在する場合には順次に各相手先について通話希望情報を確認して相手先ごとの通話可能情報の一覧を画面表示するように構成されたことを特徴とする放送受信装置。
【請求項８】
請求項４乃至請求項７のいずれかに記載の放送受信装置において、相手先が通話中であると判断したときには、所定時間をおいて再度の発呼動作を行うように構成されたことを特徴とする放送受信装置。
【発明の詳細な説明】
【０００１】
【産業上の利用分野】
この発明は、放送受信装置及び番組についてのチャットシステムに関する。
【０００２】
テレビ視聴中にその番組に関して誰かと話したいと思った場合、傍らに誰も居なければ、知人に電話をかけて話し合うか、或いは、インターネット上に用意されているチャットルームにアクセスすることになろう。
【０００３】
【発明が解決しようとする課題】
しかしながら、電話を掛けられた知人が同じ番組を見ているとは限らないし、また、番組を見ていたとしても、その番組に関して別段話し合いをしたいと思っているわけではないかもしれない。また、チャットルームにアクセスしても、ルームメンバーが番組を視聴している可能性は低く、タイムリーに番組に関しての話し相手を見つけることは困難である。
【０００４】
この発明は、上記の事情に鑑み、テレビ視聴中にその番組に関して誰かと話したいと思った場合、話し相手を見つけ出すことを可能にする放送受信装置及び番組についてのチャットシステムを提供することを目的とする。
【０００５】
【課題を解決するための手段】
この発明の放送受信装置は、上記の課題を解決するために、放送波を受信して番組を成す信号を出力する放送受信装置において、受信している番組を特定する情報及びチャット参加の意志を示す情報を予め登録されている相手先に送信する手段と、前記相手先からチャット参加に必要とされる接続情報を受信して当該接続情報を画面に表示する手段と、を備えたことを特徴とする（以下、この項において第１の構成という）。
【０００６】
また、この発明の放送受信装置は、放送波を受信して番組を成す信号を出力する放送受信装置において、通信により受信したファイルの画面表示及びユーザにより入力された情報の送信を行う閲覧手段と、受信している番組を特定する情報及びチャット参加の意志を示す情報を予め登録されている相手先に送信する手段と、前記相手先からチャット参加に必要とされる接続情報を受信して前記閲覧手段による閲覧を実行させる制御手段と、を備えたことを特徴とする（以下、この項において第２の構成という）。
【０００７】
そして、この発明の番組についてのチャットシステムは、前記第１の構成又は第２の構成の放送受信装置と前記相手先とから成り、前記相手先は、同一の番組について二以上のチャット参加意志の通知を受けたときにチャットルームを形成すると共にチャット参加に必要な接続情報を各放送受信装置に送信するように構成されていることを特徴とする。
【０００８】
上記構成おいて、第１の構成の放送受信装置による場合、接続情報が画面に表示されるので、手持ちのパーソナルコンピュータ等において閲覧ソフトウェアを起動させて、前記接続情報を入力することでチャットルームに参加することができる。このチャットルームには同じ番組を見ていてしかも会話を望む人たちが参加することになるから、気兼ねなく番組について意見を述べることができる。また、第２の構成の放送受信装置による場合、パーソナルコンピュータを持っていなくても、当該第２の構成の放送受信装置における閲覧機能により、チャットルームに参加することができる。閲覧機能による画面（チャットルーム画面）については、受信番組の表示を確保するため、画面下隅などにおいて小さな表示エリアを設定しておけばよい。
【０００９】
また、この発明の放送受信装置は、放送波を受信して番組を成す信号を出力する放送受信装置において、予め登録された相手先である他の放送受信装置との間で通信を行う手段と、自機で受信している番組が前記他の放送受信装置でも視聴されていることを確認できたときに通話可能情報を画面表示する手段と、を備えたことを特徴とする（以下、この項において第３の構成という）。
【００１０】
また、この発明の放送受信装置は、放送波を受信して番組を成す信号を出力する放送受信装置において、予め登録された相手先である他の放送受信装置との間で通信を行う手段と、自機で受信している番組が前記他の放送受信装置でも視聴されており且つ通話希望情報を確認できたときに通話可能情報を画面表示する手段とを備えたことを特徴とする（以下、この項において第４の構成という）。
【００１１】
これら第３，第４構成においては、放送受信装置同士で通話希望確認を行ってユーザに知らせることになる。ユーザは、通話可能情報が画面表示されたときには、相手先の放送受信装置のユーザにあらためて電話を掛け、番組について話し合うことができる。
【００１２】
上記第３，第４構成において、音声通話手段を備え、通話希望情報を確認後、自動的に又はユーザによる通話開始指示に基づいて相手先と音声通話が行えるように構成されていてもよい。また、相手先が複数存在する場合には順次に各相手先について通話希望情報を確認して相手先ごとの通話可能情報の一覧を画面表示するように構成されていてもよい。また、相手先が通話中であると判断したときには、所定時間をおいて再度の発呼動作を行うように構成されていてもよい。
【００１３】
【発明の実施の形態】
以下、この発明の実施形態を図１乃至図８に基づいて説明する。
【００１４】
図１はこの実施形態の番組についてのチャットシステムの概要を示した説明図である。ここで、ディジタル放送受信装置３０はモデムを介して電話回線に接続されており、自動発呼によってセンター５０の管理システム５１に回線接続し、課金情報等を送信することができる。更に、ディジタル放送受信装置３０はユーザからチャット参加要求の指示を受けると、受信している番組を特定する情報及びチャット参加の意志を示す情報を、前記課金情報等の送信と同様にモデムを介して管理システム５１に送信する。そして、管理システム５１は、同一の番組について二以上のチャット参加意志の通知を受けたときに、インターネットに接続されている配信サーバ５２に対してチャットルームの構築を要求する。配信サーバ５２はチャットルームを構築すると、そのアクセスに必要なＵＲＬ及びパスワードを管理システム５１に返す。管理システム５１は、ＵＲＬ及びパスワードを各ディジタル放送受信装置３０に送信する。各ディジタル放送受信装置３０に接続されているモニタ１６には、図４に示すように、前記受け取ったＵＲＬ及びパスワードが表示される。各ユーザは、インターネット接続環境を有する手持ちのパーソナルコンピュータ４０において閲覧ソフトウェアを起動させて、前記ＵＲＬを入力することでチャットルームに参加するための先頭ページとなるＨＴＭＬファイルを受信する。このファイルのパスワード入力欄に前記パスワードを入力して送信すれば、チャットルームに参加することができる。このチャットルームには同じ番組を見ていてしかも会話を望む人たちが参加することになるから、気兼ねなく番組について意見を述べることができる。
【００１５】
次に、ディジタル放送受信装置３０を図２に基づいて説明していく。
【００１６】
アンテナ１は、屋外において所定の方向に向けて配置されており、衛星から送られてくるディジタル放送信号を受信する。このアンテナ１は、一般に周波数変換器を備え、受信／周波数変換した信号をチューナ２に与える。
【００１７】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１８】
デスクランブラ３は、有料放送において行われるスクランブルをＩＣカード２１Ａに組み込まれている鍵情報によって解除する処理を行う。また、このデスクランブラ３は、デマルチプレクス処理部（ＤＥＭＵＸ）を有しており、トランスポート・ストリームを、ＭＰＥＧ２（Ｍｏｖｉｎｇ　Ｐｉｃｔｕｒｅ　Ｅｘｐｅｒｔｓ　Ｇｒｏｕｐｅ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）に分離する。デマルチプレクス処理部は、ビデオストリームとオーディオストリームをＡＶデコーダ４に供給し、ＰＳＩ／ＳＩをＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１９】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。
デコードにより生成された映像データは映像処理回路５に出力され、音声データは音声処理回路６に出力される。
【００２０】
映像処理回路５は、ＡＶデコーダ４から映像データを受け取ってＤ／Ａ変換を行い、例えばコンポジット映像信号に変換する。音声信号処理回路６は、ＡＶデコーダ４から出力された音声データを受け取ってＤ／Ａ変換を行い、例えば右（Ｒ）音のアナログ信号及び左（Ｌ）音のアナログ信号を生成したり、主音声及び副音声のアナログ信号を生成したりする。
【００２１】
映像出力回路７及び音声出力回路８は出力抵抗や増幅器等を備えて成る。ＡＶ出力端子９には出力部（左右音声出力端子等や映像出力端子等のセット）が設けられており、この出力部には、映像／音声コード１７によって受像管１６ａ及びスピーカ１６ｂを備えるモニタ１６が接続される。
【００２２】
ＯＳＤ（オンスクリーンディスプレイ）回路１２は、ＣＰＵ１３から出力指示された文字情報や色情報に基づく映像データを生成して加算器２０に出力する。
加算器２０は前記映像データをＡＶデコーダ４から出力される受信映像データに組み込む処理を行う。
【００２３】
リモコン送信機１０は、当該放送受信装置３０に指令を送出するための送信機である。このリモコン送信機１０には、図３に示すように、多数のキーが設けられており、この実施形態では、その一つとして「番組共有」キーを備えている。
この「番組共有」キーは、チャット参加要求の指示キーとなるものである。リモコン送信機１０の各キーを操作すると、そのキーに対応した指令を意味する信号光（リモコン信号）が図示しない発光部から送出される。リモコン受光器１１は、前記信号光を受光し、これを電気信号に変換してＣＰＵ１３に与える。なお、「番組共有」キーを備えずに、図５に示すごとく、メニュー画面の項目の一つとして「番組共有参加」を設定しておき、この項目の選択が、チャット参加要求の指示であるとするようにしてもよい。
【００２４】
メモリ（例えば、ＥＥＰＲＯＭ等）１４には、番組情報（番組名、番組詳細、番組開始時間、番組終了時間等）やユーザによる設定情報（相手先情報等）などが格納される。
【００２５】
モデム２２、通信インターフェイス（ＩＦ）２３、回線インターフェイス（ＩＦ）２４は、センター５０の管理システム５１への課金情報伝送、双方向データサービスにおけるデータ伝送、チャット参加要求があったときの各種情報の伝送を行う際のダイヤルアップ接続においてＣＰＵ１３の制御の下で動作する。
【００２６】
ＩＣカード２１Ａは、有料放送を視聴可能にするための鍵情報や番組毎に課金対象となるＰＰＶ番組の購入履歴情報などをその内蔵メモリに格納する。ＣＡモジュール２１は、ＣＰＵ１３とＩＣカード２１Ａとの間で諸情報の書込み処理や読出し処理を行う。
【００２７】
ＣＰＵ１３は、ディジタル放送受信装置における選局処理やメニュー表示制御等を行う他、この発明にかかるものとして以下の制御も行う。ＣＰＵ１３は、リモコン送信機１０の「番組共有」キーが押されたことを検出したとき、前述した課金情報の管理システム５１への伝送と同様にモデム２２等を動作させて管理システム５１との間で回線接続し、現在視聴中の番組を特定する情報（番組名，イベントＩＤ等）及びチャット参加の意志を示す情報を送信する。
【００２８】
管理システム５１は、先にも述べたが、同一の番組について二以上のチャット参加意志の通知を受けたときに、配信サーバ５２に対してチャットルームの構築を要求する。配信サーバ５２はチャットルームを構築すると、そのアクセスに必要なＵＲＬ及びパスワードを管理システム５１に返す。管理システム５１は、ＵＲＬ及びパスワードを各ディジタル放送受信装置３０に返す。
【００２９】
ＣＰＵ１３は、管理システム５１から受け取ったＵＲＬ及びパスワードを成す文字情報をＯＳＤ回路１２に与える。このＯＳＤ回路１２により、ＵＲＬ及びパスワードを成す文字映像データが生成されて受信映像に重ねられ、図４に示したように、画面表示が行われる。
【００３０】
以上の例では、手持ちのパーソナルコンピュータ４０を用いてチャットに参加することとしたが、ディジタル放送受信装置３０は、データ放送用にブラウザ機能（ファイル閲覧機能）を備えており、このブラウザ機能を用いてチャットに参加することができる。文字入力については、リモコン送信機１０のキーを文字キーとして機能させてもよいし、専用或いは一般のキーボードをディジタル放送受信装置３０に接続できるように構成しておいて、このキーボードにて文字入力を行うようにしてもよい。更に、受信映像とブラウザ機能による映像を画面分割すると共にその大きさを任意に設定できるスケーラー機能を備えており、このスケーラー機能を用いて、ブラウザ機能による映像（チャット表示）については、画面下隅に小さく表示して、受信映像の表示領域を確保することも可能である。
【００３１】
また、以上の例では、センター５０を相手先としてチャット要求を行うこととしたが、例えば、知人宅の他のディジタル放送受信装置を直接に相手先として通話要求を行うようにしてもよい。このようにする場合には、図６に示すように、通話したい相手の名前や電話番号を「番組共有登録」画面上で入力し、この入力情報を予めメモリ１４に登録しておくこととする。この登録の操作は、例えば、図５に示したメニュー画面において、「番組共有登録」の項目を設定しておき、この項目が選択されたときに上記図６の画面を表示させることとする。この登録時の文字入力においては、リモコン送信機１０のキーを文字キーとして機能させればよい。そして、リモコン送信機１０の「番組共有」キーが操作されたときには、登録されている相手先へ次々に電話をかけて共有確認（通話可能確認）を行うこととする。なお、電話番号については、例えば、一つの回線で、電話、ファクシミリ、他の装置用といった３つの電話番号を持つことができるサービスを利用し、そのうちの一つの電話番号をディジタル放送受信装置３０用として設定しておくのが望ましい。また、モデム２２は発呼だけでなく着信動作も行うものとする。
【００３２】
相手先のディジタル放送受信装置３０は、電話がかかってくると着信操作を行い、発呼側のディジタル放送受信装置３０との間で通信を行う。相手先のディジタル放送受信装置３０は、放送受信状態であれば受信番組を特定する情報、或いは番組を特定する情報に加えて、共有希望の設定がされているときには、その情報も送信する。前記の「番組共有」キーの操作が上記共有希望の設定を兼ねるようにしておくのもよい。発呼側のディジタル放送受信装置３０は自機で受信している番組が相手先のディジタル放送受信装置３０でも視聴されていることを確認できたとき、或いは更に共有希望が確認できたときに、図７に示すように、相手先名を示して通話可能情報を画面に表示する。この画面表示を見て、ユーザは、相手先のディジタル放送受信装置３０のユーザにあらためて電話を掛け、番組について話し合うことになる。
【００３３】
なお、複数の相手先を登録している場合、相手先ごとの通話可能情報の一覧を画面表示するようにしてもよい。また、一つの相手先への発呼で話中となったときには、自動的に次の相手先への発呼処理を行うこととするのがよい。また、相手先から電話がかかってくることもあり、この場合には双方の電話回線がふさがった状態となるので、いつまで経っても番組共有が成立しないことが起こり得る。そこで、続けて電話をかける場合にはその間隔をあけたり、更には、その間隔にランダムに変化を持たせることとするのがよい。
【００３４】
また、上述した例では、ユーザは、相手先のディジタル放送受信装置のユーザにあらためて電話を掛けることとしたが、ディジタル放送受信装置に電話機能を持たせ、このディジタル放送受信装置を通じて通話を行うようにしてもよい。図８には、かかる機能を実現するディジタル放送受信装置３０′を示している。なお、この図では、メモリ１４及びＣＡモジュール２１については省略して示している。内蔵マイク２５から入力されるユーザの音声はＡ／Ｄ変換回路（ＡＤＣ）２５によってディジタル信号に変換させ、圧縮多重回路２７にてデータ圧縮される。このデータ圧縮された信号は通信インターフェイス２３を経てモデム２２及び回線インターフェイス２４によって電話回線へと送出される。同時に、相手側ディジタル放送受信装置からの信号は、電話回線、回線インターフェイス２４、モデム２２、及び通信インターフェイス２３をへてデコード回路２８に入力されて伸長される。伸長されたディジタル音声信号は音声処理回路６に入力され、この音声処理回路６によって副音声として処理されて音声出力回路８から出力される。通話開始については、共有確認後に自動的に行うようにしてもよいし、或いは、画面に「通話を開始するときには、リモコンの決定キーを押して下さい」といったメッセージを表示し、リモコン送信機１０の決定キーが押されたときに、開始するようにしてもよい。ディジタル放送受信装置が備える通話機能については一般電話と同様のアナログ通話手段であってもよい。
【００３５】
なお、上述した実施形態では、ディジタル放送受信装置において適用した例を示したが、アナログ放送受信装置においても適用可能である。アナログ放送受信装置においては、番組特定情報はチャンネルポジション情報（地域が異なると番組不一致となる可能性はあるが）とすればよい。また、図１においては、インターネットと公衆回線を別々のものとして示したが、説明の便宜上のものであり、物理的に別々に存在するわけではなく、また、電話は公衆回線を用いることに限定するものではなく、インターネット或いは専用ネットを用いたＩＰ電話とすることも可能である。
【００３６】
【発明の効果】
以上説明したように、この発明によれば、テレビ視聴中にその番組に関して誰かと話したいと思った場合、話し相手を見つけ出し、電話やチャットなどによって気兼ねなく話ができることになる。
【図面の簡単な説明】
【図１】この実施形態の番組についてのチャットシステムを例示した説明図である。
【図２】この実施形態のディジタル放送受信装置を示したブロック図である。
【図３】この実施形態のリモコン送信機を示した外観図である。
【図４】番組共有可能と判断されたときの画面を例示した説明図である。
【図５】メニュー画面を例示した説明図である。
【図６】番組共有登録画面を例示した説明図である。
【図７】番組共有可能と判断されたときの画面を例示した説明図である。
【図８】この実施形態のディジタル放送受信装置を示したブロック図である。
【符号の説明】
１　　　アンテナ
２　　　チューナ
３　　　デスクランブラ
４　　　ＡＶデコーダ
１０　　リモコン送信機
１３　　ＣＰＵ
１４　　メモリ
２１　　ＣＡモジュール
２１Ａ　ＩＣカード
２２　　モデム
【図１】
2004040698.tif 000003
【図２】
2004040698.tif 000004
【図３】
2004040698.tif 000005
【図４】
2004040698.tif 000006
【図５】
2004040698.tif 000007
【図６】
2004040698.tif 000008
【図７】
2004040698.tif 000009
【図８】
2004040698.tif 000010